(57)【要約】【課題】  ２足の靴を前後にずれる方式で置くことのできる仕切板構造を提供することを課題とする。【解決手段】  本考案は、靴箱に用いる仕切板構造に関るもので、間仕切板と、間仕切板底面の後側に取り付け、その前方が下に向かう斜め支持板を具備し、また間仕切板との間で斜め差込溝を形成するサポートを含み、１足の靴を間仕切板後方に置き、別途１足の靴の先芯を差込溝に入れて斜め支持板に載せ、ヒールリフトを間仕切板の前方に立たせて置き、２足の靴を前後にずれる方式で置くことで靴の収納数量を増加させることを特徴とする。【選択図】    図１
0003130904.tif 000002
【実用新案登録請求の範囲】
【請求項１】
間仕切板と、
間仕切板底面の後側に取り付け、その前方が下に向かう斜め支持板を具備し、また間仕切板との間で斜め差込溝を形成するサポートを含み、
１足の靴を間仕切板後方に置き、別途１足の靴の先芯を差込溝に入れて斜め支持板に載せ、ヒールリフトを間仕切板の前方に立たせて置き、２足の靴を前後にずれる方式で置くことで靴の収納数量を増加させることを特徴とする、靴箱に用いる仕切板構造。
【請求項２】
請求項１記載の靴箱に用いる仕切板構造において、支持板の両端縁が後方に向ってそれぞれ間仕切板底面の後方に固設する延長フレームを設けることを特徴とする、靴箱に用いる仕切板構造。
【請求項３】
請求項２記載の靴箱に用いる仕切板構造において、前記延長フレームが横向きに貫通溝を開け、別途調整ネジが前記貫通溝を通過して間仕切板底面後側の取り付け穴に螺合することで、前記サポート全体の位置を前後に調整させることができることを特徴とする、靴箱に用いる仕切板構造。
【考案の詳細な説明】
【技術分野】
【０００１】
本考案は、一種の仕切板に関り、特に例えば靴箱或いは展示棚のような箱体の本来スペースを変えず、靴の収納数量を大幅に増加できる仕切板構造に関する。
【背景技術】
【０００２】
靴は、人にとって不可欠の物品であり、足部保護という基本的な機能から、徐々にその他の用途として使われることが多くなってきた。例えば服装に合わせた皮靴、ハイヒールである。或いは各種の状況に応じた、例えば球場、運動場のスポーツシューズ、ジョギングシューズ、屋外散歩用レジャーシューズ、登山靴など枚挙に暇が無い。そのため、統計によると各人平均で４足を擁し、特に女性は服装に合わせるため、カラーと靴のタイプの違いにより、保有する靴の数量が往往にして前述の平均値を上回ってきた。そのため、人は通常靴箱で多くの靴を収納している。
【０００３】
事実上、靴箱は、使用及び収納の利便性を有するため、各種特殊機能或いは構造が異なる特許案の認可例は多い、例えば我が国の特許文献１では殺菌、除臭機能のある靴箱を提供し、また特許文献２では多段型の靴箱を提供し、その他特許文献３では室外排気式の自動消毒靴箱の提供、及び特許文献４では平面上に立てることのできる主箱体を含み、前記主箱体内に多数個の靴置きスペースとして仕切用の複数個の仕切板を具備する靴箱を提供し、前記靴箱は前記主箱体の一つの外側に連結する側箱体を更に含み、その下方が前記平面の上方及び前記主箱体外側との間に収納スペースを画定し、且つ前記靴箱は前記収納スペースに収納され可動できる腰掛けスペースを更に具備する。つまり、この特許案は靴をはく時、人が腰掛けることができる腰掛けスペースを提供した。
【０００４】
また前述の各種機能或いは構造の靴箱は、いずれも外輪郭で囲まれて固定スペースで構成され、その内部は靴を収納するため、少なくとも1つの仕切板を利用して仕切られ、各靴は一定の占用スペースを有することにより靴箱の固定スペース内で、一定数量の靴のみを置くことができ、往々にして収納力不足になるという共通点を具え、そのため、いかにして靴箱の本来のスペース内において靴の収納数量を増加することについて、業者が共同で直面している困難と課題であった。
【０００５】
これに鑑み、本考案出願人は、長年に渡る家具設計及び生産販売に従事した経験に基づき、前述の伝統的或いは従来の靴箱の本来のスペース内において、靴の収納数量を増加できないという欠陥を克服するため、新しい手段を切り開くため、再三再四に渡って実験とテストを重ね、本考案の「靴箱に用いる仕切板構造」の発展に到った。
【特許文献１】台湾の公告第Ｍ２７１４７４号特許案
【特許文献２】台湾の公告第Ｍ２８２５６６号特許案
【特許文献３】台湾の公告第Ｍ２７０７２３号特許案
【特許文献４】台湾の公告第Ｍ２６１０９９号特許案
【考案の開示】
【考案が解決しようとする課題】
【０００６】
本考案の主な目的は、靴箱に用いる仕切板構造を提供し、これには間仕切板と間仕切板底面の後側に取り付け、その前方が下に向かう斜め支持板を具備し、また間仕切板との間で斜め差込溝を形成するサポートを含み、１足の靴を間仕切板後方に置き、別途１足の靴の先芯を差込溝に入れて斜め支持板に載せ、ヒールリフトを間仕切板の前方に立たせて置き、２足の靴を前後にずれる方式で置くことで靴の収納数量を増加させることにある。
【０００７】
本考案の別の目的は、靴箱に用いる仕切板構造を提供し、前記支持板両端縁が後方に向かってそれぞれ間仕切板底面後側に固設する延長フレームを設けることにある。
【０００８】
本考案の別の目的は、靴箱に用いる仕切板構造を提供し、前記延長フレームが横向きに貫通溝を開け、調整ネジが前記貫通溝を通過して間仕切板底面後側の取り付け穴に螺合させることで、前記サポート全体位置を前後に調整できる。
【０００９】
審査官の皆様に本考案の構造、特徴及び目的について更に一歩進んだ理解をもらうため、好ましい実施例を介し付属の図式を組み合わせることで、本考案に対する詳細な説明を以下のとおり行うものである。
【課題を解決するための手段】
【００１０】
靴箱或いは展示棚のような箱体の本来スペースを変えず、前記仕切板構造の設置を介して本来１足の靴しか置くことのできないスペースにおいて、前後にずらす方法により２足の靴を置くことがでることで、靴の収納数量が最多で２倍に達することができる。
【考案の効果】
【００１１】
２足の靴を前後にずれる方式で置くことで靴の収納数量を増加させることにある。
【考案を実施するための最良の形態】
【００１２】
図１に示すように、基本的に本考案の仕切板構造は間仕切板１、及びサポート２で組み合わされた構成となっている。
【００１３】
間仕切板１は、従来の板体で、例えば靴箱のような箱体に装設され、表面に箱体の一部分或いは靴を置くことができ、これは従来の技術であるのでここでは詳述しない。
【００１４】
また本考案の創作特徴は、前記間仕切板１底面後側にサポート２を取り付け、間仕切板１との間で斜め差込溝を形成して、その前方が下に向う斜め支持板２１を具備する。図面に示すとおり、利便のため前記支持板２１が間仕切板１底縁両側に取り付け、これによりその両端縁の後方に向ってそれぞれ延長フレーム２２を設け、例えば粘着、螺合或いは釘打ち方法により間仕切板１底面後側に固設される。
【００１５】
その他、靴の長さの差異に対応するため、前記延長フレーム２２の横向きに貫通溝２３を開け、調整ネジ２４が前記貫通溝２３を通過して間仕切板１底面後側の先行設置している取り付け穴１１に螺合させることで、前記サポート２全体位置を前後に調整できる
【００１６】
図２は、本考案の仕切板構造を靴箱に組み込んだ見取図で、各間仕切板１及びサポート２の相対関係を観察するため、前記靴箱の側板を取り外し、且つ前記間仕切板１は更に一歩進んで靴箱の頂板及び底板とすることができる。その他、前記靴箱正面に両開きのドア板を組み込むことができるが、これも従来の技術であるため、ここでは詳述しない。
【００１７】
図３は、本考案を使用した時の側面断面図で、使用者は履く機会の少ない靴を間仕切板１の後方に置き、履く機会の多い靴の先芯を差込溝に入れて斜め支持板２１に載せ、ヒールリフトを間仕切板１の前方に立たせておく。そのため、本来１足の靴しか置けないスペースに、本考案の実施を経ることで、前後にずらして２足の靴を置くことができる。更に進んで、実測によると、図２に示す靴箱では米国サイズ８号の靴を本来２４足収納することができるが、本考案を取り付けた後、前後にずらして置くことで収納できる靴の数量が最多で２倍(つまり４８足)まで増加できた。
【００１８】
そのため、本考案の実施を経ることにより、例えば靴箱或いは展示棚のような箱体の本来スペースを変えず、前記仕切板構造の設置を介して本来１足の靴しか置くことのできないスペースにおいて、前後にずらす方法により２足の靴を置くことがでることで、靴の収納数量が最多で２倍に達することができ、同類物品に従来で見られないような最適な構造となっている。
【００１９】
本考案に開示したものは、好ましい実施例であり、各種局部的な改変或いは修飾について本考案の技術的思想に基づき、当該技術を熟知する者が、容易に推察できるものも本考案実用新案権の権利範囲に属するものとする。
【００２０】
上記をまとめると本考案の目的、手段と効果が、従来の技術特徴とは異なり、考案として実用に適合し、考案の実用新案登録要件を満たしているため、審査官皆様のご審査により、一日も早く特許をお許しいただきますよう切に願います。
【図面の簡単な説明】
【００２１】
【図１】本考案仕切板の立体分解図である。
【図２】本考案仕切板を靴箱に組み込んだ立体図である。
【図３】本考案を使用した時の側面断面図である。
【符号の説明】
【００２２】
１ 間仕切板
１１ 取り付け穴
２ サポート
２１ 支持板
２２ 延長フレーム
２３ 貫通溝
２４ 調整ネジ
【図１】
0003130904.tif 000003
【図２】
0003130904.tif 000004
【図３】
0003130904.tif 000005